(57)【特許請求の範囲】
【請求項１】
医療ボディエリアネットワーク（ＭＢＡＮ）チャネル管理システムであって：
複数のＭＢＡＮシステムによって使用されるべき利用可能なチャネルセットを識別し；
複数のＭＢＡＮ優先順位の各々についてのチャネルセットを示すチャネルアクセスルールを生成し、ここで、前記チャネルセットのチャネルは前記利用可能なチャネルセットのうちのチャネルであり、前記複数のＭＢＡＮ優先順位が、前記複数のＭＢＡＮシステムに割り当てられるＭＢＡＮ優先順位に対応しており；
前記チャネルアクセスルールを前記複数のＭＢＡＮシステムに通信し、ここで、前記複数のＭＢＡＮシステムのうちのあるＭＢＡＮシステムは、該ＭＢＡＮシステムに割り当てられたＭＢＡＮ優先順位に対応する、前記チャネルセットからのチャネルを使用する；
ように構成される少なくとも１つのコントローラを備え、
前記少なくとも１つのコントローラは、前記複数のＭＢＡＮシステムに患者の緊急度レベルに基づいて割り当てられる前記複数のＭＢＡＮ優先順位の各々についてのチャネルセットを示す前記チャネルアクセスルールを、生成するように構成され、
前記複数のＭＢＡＮ優先順位のうちの１つについての前記チャネルセットは、前記複数のＭＢＡＮ優先順位のうち、より低いＭＢＡＮ優先順位についてのチャネルセットよりも多くのチャネルを含む、
ＭＢＡＮチャネル管理システム。
【請求項２】
前記複数のＭＢＡＮ優先順位についての前記チャネルセットは、前記複数のＭＢＡＮ優先順位に基づいて異なる、
請求項１に記載のＭＢＡＮチャネル管理システム。
【請求項３】
前記少なくとも１つのコントローラは、
前記ＭＢＡＮチャネル管理システムが使用される医療機関の複数のサービスエリアの各々又は複数のサービスゾーンの各々について前記チャネルアクセスルールを生成する
ように更に構成され、前記複数のサービスエリアは、前記複数のＭＢＡＮシステムが当該ＭＢＡＮチャネル管理システムと通信するアクセスポイントのサービスエリアに対応し、前記複数のサービスゾーンは、サービスエリアの集合に対応し、
前記ＭＢＡＮシステムは、前記ＭＢＡＮシステムの優先順位と、前記ＭＢＡＮシステムが配置される前記サービスエリア又はサービスゾーンに対応する、前記チャネルセットからのチャネルを使用する、
請求項１又は２に記載のＭＢＡＮチャネル管理システム。
【請求項４】
前記少なくとも１つのコントローラは、
ＭＢＡＮ優先順位における変更と、サービスエリア又はサービスゾーンにおける変更とを示すレポートを前記複数のＭＢＡＮシステムから受け取るように更にプログラムされ、前記複数のＭＢＡＮシステムの各々は、当該ＭＢＡＮチャネル管理システムが使用される医療機関の複数のサービスエリアのうちの１つ又は複数のサービスゾーンのうちの１つに配置され、前記複数のサービスエリアは、前記複数のＭＢＡＮシステムが当該ＭＢＡＮチャネル管理システムと通信するアクセスポイントのサービスエリアに対応し、前記複数のサービスゾーンは、共通の役割を共有しているサービスエリアの集合に対応する、
請求項１乃至３のいずれか一項に記載のＭＢＡＮチャネル管理システム。
【請求項５】
前記少なくとも１つのコントローラは、
前記受け取ったレポートに基づいて、前記複数のサービスエリア又は前記複数のサービスゾーンのＭＢＡＮ優先順位分配を決定し、
前記ＭＢＡＮ優先順位分配に基づいて前記チャネルアクセスルールを更新し、
前記更新したチャネルアクセスルールを前記複数のＭＢＡＮシステムに通信する、
ように更にプログラムされる、請求項４に記載のＭＢＡＮチャネル管理システム。
【請求項６】
前記少なくとも１つのコントローラは、
最高位のＭＢＡＮ優先順位についての前記チャネルセット内のチャネルの数を増加させること、
により、前記ＭＢＡＮ優先順位分配に基づいて前記チャネルアクセスルールを更新するように更にプログラムされ、前記最高位のＭＢＡＮ優先順位は、前記ＭＢＡＮ優先順位分配内で最も高いＭＢＡＮ優先順位である、
請求項５に記載のＭＢＡＮチャネル管理システム。
【請求項７】
前記複数のＭＢＡＮ優先順位のうちの１つについての前記チャネルセットは、前記複数のＭＢＡＮ優先順位のうち、より低いＭＢＡＮ優先順位についてのチャネルセットの上位集合である、
請求項１乃至６のいずれか一項に記載のＭＢＡＮチャネル管理システム。
【請求項８】
前記複数のＭＢＡＮ優先順位のうちのある患者に割り当てられるＭＢＡＮ優先順位は、前記複数のＭＢＡＮ優先順位のうち、より低い緊急度レベルの患者に割り当てられるＭＢＡＮ優先順位よりも高い、
請求項１乃至７のいずれか一項に記載のＭＢＡＮチャネル管理システム。
【請求項９】
プロセッサによって実行される、医療ボディエリアネットワーク（ＭＢＡＮ）チャネル管理方法であって：
複数のＭＢＡＮシステムによって使用されるべき利用可能なチャネルセットを識別するステップと；
複数のＭＢＡＮ優先順位の各々についてのチャネルセットを示すチャネルアクセスルールを生成するステップであって、前記チャネルセットのチャネルは前記利用可能なチャネルセットのチャネルであり、前記複数のＭＢＡＮ優先順位が、前記複数のＭＢＡＮシステムに割り当てられるＭＢＡＮ優先順位に対応する、ステップと；
前記チャネルアクセスルールを前記複数のＭＢＡＮシステムに通信するステップであって、前記複数のＭＢＡＮシステムのうちのあるＭＢＡＮシステムは、該ＭＢＡＮシステムに割り当てられたＭＢＡＮ優先順位に対応する、前記チャネルセットからのチャネルを使用する、ステップと；
を備え、
前記チャネルアクセスルールを生成するステップは、前記複数のＭＢＡＮシステムに患者の緊急度レベルに基づいて割り当てられる複数のＭＢＡＮ優先順位の各々についてのチャネルセットを示すチャネルアクセスルールを、生成するステップを含み、
前記複数のＭＢＡＮ優先順位のうちの１つについての前記チャネルセットは、前記複数のＭＢＡＮ優先順位のうち、より低いＭＢＡＮ優先順位についてのチャネルセットよりも多くのチャネルを含む、ＭＢＡＮチャネル管理方法。
【請求項１０】
前記複数のＭＢＡＮ優先順位についての前記チャネルセットは、前記複数のＭＢＡＮ優先順位に基づいて異なる、
請求項９に記載のＭＢＡＮチャネル管理方法。
【請求項１１】
当該ＭＢＡＮチャネル管理方法が使用される医療機関の複数のサービスエリアの各々又は複数のサービスゾーンの各々について前記チャネルアクセスルールを生成するステップ
を更に含み、前記複数のサービスエリアは、前記複数のＭＢＡＮシステムが当該ＭＢＡＮチャネル管理方法を実行するデバイス又はシステムと通信するアクセスポイントのサービスエリアに対応し、前記複数のサービスゾーンは、サービスエリアの集合に対応し、
前記ＭＢＡＮシステムは、前記ＭＢＡＮシステムの優先順位と、前記ＭＢＡＮシステムが配置される前記サービスエリア又はサービスゾーンに対応する、前記チャネルセットからのチャネルを使用する、
請求項９又は１０に記載のＭＢＡＮチャネル管理方法。
【請求項１２】
ＭＢＡＮ優先順位における変更と、サービスエリア又はサービスゾーンにおける変更とを示すレポートを、前記複数のＭＢＡＮシステムから受け取るステップ
を更に含み、前記複数のＭＢＡＮシステムの各々は、当該ＭＢＡＮチャネル管理方法が使用される医療機関の複数のサービスエリアのうちの１つ又は複数のサービスゾーンのうちの１つに配置され、前記複数のサービスエリアは、前記複数のＭＢＡＮシステムが当該ＭＢＡＮチャネル管理方法を実行するデバイス又はシステムと通信するアクセスポイントのサービスエリアに対応し、前記複数のサービスゾーンは、共通の役割を共有しているサービスエリアの集合に対応する、
請求項９乃至１１のいずれか一項に記載のＭＢＡＮチャネル管理方法。
【請求項１３】
前記受け取ったレポートに基づいて、前記複数のサービスエリア又は前記複数のサービスゾーンのＭＢＡＮ優先順位分配を決定するステップと、
前記ＭＢＡＮ優先順位分配に基づいて前記チャネルアクセスルールを更新するステップと、
前記更新したチャネルアクセスルールを前記複数のＭＢＡＮシステムに通信するステップと
を更に含む、請求項１２に記載のＭＢＡＮチャネル管理方法。
【発明の詳細な説明】
【技術分野】
【０００１】
本発明は一般に、無線通信に関する。本発明の特定の用途は、医療ボディエリアネットワーク（ＭＢＡＮ：medical  body  area  network）にあり、特にこれに関連して説明される。しかしながら、他の利用シナリオにおける用途もあり、必ずしも上述の用途に限定されないことが理解されよう。
【背景技術】
【０００２】
医療産業では、ユビキタスな患者モニタリングに向かう一般的な傾向がある。ユビキタスな患者モニタリングは、その治療サイクル全体の間、連続的かつ患者中心のサービスを提供し、治療の品質を大いに向上させることができる、例えば患者の悪化を初期の段階で検出することができ、早期介入は、深刻な有害事象を効果的に避けることができる。ＭＢＡＮは、ユビキタスなモニタリングサービスのための鍵となる実現技術（キー・イネーブリングテクノロジ）の１つである。ＭＢＡＮは、患者をベッドサイドのモニタリングユニットにつなげるケーブルの絡まりを、無線接続に置き換える。ＭＢＡＮは患者の生理的パラメータをモニタリングするために使用される、患者の周囲及び／又は患者の上のセンサの低電力の無線ネットワークである。
【０００３】
図１を参照すると、典型的なＭＢＡＮシステムは、患者の身体の周囲及び／又は患者の身体の上に置かれる数個のごく小さなセンサデバイスを含み、心拍及び心電図（ＥＣＧ）信号といった患者の生理的データをキャプチャする。キャプチャされたデータは、短距離かつ低電力のＭＢＡＮを通してハブデバイスに転送される。ハブデバイスは、ローカルのベッドサイドのモニタリングデバイス、携帯電話、セットトップボックス又は他の無線デバイスとすることができ、通常は、バックホール通信ネットワーク（例えば３Ｇ又は４セルラネットワークのようなセルラネットワーク、ローカルエリアネットワーク（ＬＡＮ）等）への接続を有する。バックホール通信ネットワークを使用して、収集したデータをリモートの患者モニタリングシステムに転送する。リモートの患者モニタリングシステムは、患者の生理的データを分析することに関与し、リアルタイムのモニタリングサービス、診断サービス及び治療サービスのうちの１つ以上を提供する。
【０００４】
ＭＢＡＮは、患者モニタリングサービスを、現在モニタリングされていないエリア（例えば一般病棟、患者の家等）まで拡張する低コストの解決策を提供し、モニタリングサービスを中断することなく、患者が歩き回ることを可能にする。このことは、高品質の治療モニタリングサービスを引き続き提供しつつ、患者を、集中治療室（ＩＣＵ）から、あるいは病院からも早期に出すことを可能にする。これにより医療費を大幅に減らすことができる。
【０００５】
ＭＢＡＮの展開を促進するために、米国の連邦通信委員会（ＦＣＣ）は最近、２３６０メガヘルツ（ＭＨｚ）から２４００ＭＨｚまでの範囲の専用のＭＢＡＮスペクトルをＭＢＡＮサービスに割り当てた。ＭＢＡＮスペクトルは、現在ほとんどの無線患者モニタリングデバイスによって使用されている、２．４ギガヘルツ（ＧＨｚ）のＩＳＭ（industrial,  scientific  and  medical）スペクトルよりもクリアである。さらに、ＭＢＡＮスペクトルは、医療上のサービス品質（ＱｏＳ）要件を満たすためにも有効である。しかしながら、ＭＢＡＮスペクトルはまだ、限られたリソースであり、効率的に使用すべきである。他の国も、この用途に他のスペクトルを確保する可能性がある。
【０００６】
ライフクリティカルであり得る生理的パラメータのアラーム及び測定値が、ＭＢＡＮを通して伝送されるので、特に高い緊急度（high-acuity）の患者について、ＭＢＡＮに対する厳しいＱｏＳ要件が存在する。ＭＢＡＮの密度並びに患者のモビリティが増加することに起因して、ＭＢＡＮが相互に同じ場所に存在する可能性がある。例えば複数のＭＢＡＮのコロケーションは、多くの患者が治療を待つ緊急治療室（ＥＲ）エリアで起こりやすい。ＭＢＡＮチャネルは通常限られているので、ＭＢＡＮチャネルアクセスが上手く調整されない場合は、相互干渉が生じ、患者モニタリングサービスのＱｏＳを低下させることがある。特に病院における大規模なＭＢＡＮ展開の出現により、ＱｏＳと、互いに悪影響なく共に動作する無線ソリューションの共存とを提供する構想を調査及び発展させることへの必要性が高まっている。
【０００７】
他のネットワークと無線周波数（ＲＦ）スペクトル（又は無線チャネル）を共有する必要があるほとんどの公知の無線ネットワークでは、共存する干渉を回避及び／又は軽減するように周波数アジリティソリューションが導入されている。例えばＩＥＥＥ８０２．１５．４規格では、クリアチャネル評価（ＣＣＡ：clear  channel  assessment）機構は、８０２．１５．４コーディネータが、その動作チャネルを選択し、２．６ＧＨｚ  ＩＳＭバンドで機能する他の８０２．１５．４ネットワーク又は他の無線ネットワークからの可能性ある干渉を防ぐことを助けるよう適合される。
【０００８】
ＣＣＡベースのチャンネル選択機構の課題は、優先順位付けしたＭＢＡＮ  ＱｏＳサポートを提供しないことである。全てのＭＢＡＮが等しく重要と扱われる。したがって、複数のＭＢＡＮが、ある１つのチャネルについて競うとき、これらのＭＢＡＮがチャネルアクセスを獲得する確率は等しい。これは、消費者アプリケーションにとって良い可能性はあるが、異なるＭＢＡＮが異なる有用性を有する可能性があるので、医療アプリケーションには望ましくない。例えばフィットネスモニタリングアプリケーションに使用されるＭＢＡＮは、高緊急度のＩＣＵ患者をモニタリングするために使用されるＭＢＡＮよりも、かなり低い重要度を有するべきである。高緊急度の患者のＭＢＡＮは、ＭＢＡＮチャネルに対してより良好なアクセスを有し、したがって、より良好なＱｏＳサポートを有することが望まれる。従来的な分散型の周波数アジリティスキームは、患者モニタリングデバイスのＭＢＡＮのＱｏＳ要件を区別しないが、これはヘルスケアアプリケーションにとって重要である。ＭＢＡＮのＱｏＳ要件は、対応する患者の緊急度レベルと同等と考えることができる。前述を考慮すると、差別化したＱｏＳサポートを異なる緊急度レベルのＭＢＡＮに提供することができる、ＭＢＡＮチャネル管理スキームが必要とされる。
【０００９】
さらに、ＭＢＡＮを使用して、患者の治療サイクル全体の間にモニタリングサービスを提供することができるので、患者の緊急度レベルは、時間と共に変化する可能性がある。このことを考慮すると、ユーザ介入なしに、ＭＢＡＮの優先順位を、患者の緊急度レベルの変化に応じて自動的に調整することが好ましい。エンドユーザ（例えば患者、看護師等）は通常、ＭＢＡＮの優先順位を調整する専門知識を有しておらず、そのような介入はワークフローを大幅に低下させる可能性がある。
【００１０】
さらにまた、患者の緊急度レベルの分布は、医療機関内の異なるエリアで大きく変わる可能性がある。例えば一般病棟では、モニタリングされる患者のほとんどは、穏やかな又は低い緊急度を有するが、ＩＣＵエリアでは、モニタリングされる患者のほとんどが高い緊急度を有する。ＭＢＡＮチャネル管理スキームは、そのような相違を考慮し、これに適応するよう柔軟性を提供すべきである。
【発明の概要】
【発明が解決しようとする課題】
【００１１】
本発明は、上記で言及した問題及び他の問題を克服する、新たな改善されたシステム及び方法を提供する。
【課題を解決するための手段】
【００１２】
一態様によると、医療ボディエリアネットワーク（ＭＢＡＮ）チャネル管理システムが提供される。このＭＢＡＮチャネル管理システムは、複数のＭＢＡＮシステムによって使用されるべき利用可能なチャネルセットを識別し、複数のＭＢＡＮ優先順位の各々についてのチャネルセットを示すチャネルアクセスルールを生成するように構成される、少なくとも１つのコントローラを含む。チャネルセットのチャネルは、利用可能なチャネルセットのチャネルである。複数のＭＢＡＮ優先順位は、複数のＭＢＡＮシステムに割り当てられるＭＢＡＮ優先順位に対応する。複数のＭＢＡＮシステムに割り当てられるＭＢＡＮ優先順位は、患者の緊急度レベルに基づく。少なくとも１つのコントローラは、チャネルアクセスルールを前記複数のＭＢＡＮシステムに通信するように更に構成される。複数のＭＢＡＮシステムのうちのあるＭＢＡＮシステムは、該ＭＢＡＮシステムに割り当てられたＭＢＡＮ優先順位に対応する、チャネルセットからのチャネルを使用する。
【００１３】
別の態様によると、医療ボディエリアネットワーク（ＭＢＡＮ）チャネル管理方法が提供される。複数のＭＢＡＮシステムによって使用されるべき利用可能なチャネルセットを識別する。複数のＭＢＡＮ優先順位の各々のチャネルセットを示すチャネルアクセスルールを生成する。チャネルセットのチャネルは、利用可能なチャネルセットのチャネルである。複数のＭＢＡＮ優先順位は、複数のＭＢＡＮシステムに割り当てられるＭＢＡＮ優先順位に対応する。複数のＭＢＡＮシステムに割り当てられるＭＢＡＮ優先順位は、患者の緊急度レベルに基づいている。チャネルアクセスルールを複数のＭＢＡＮシステムに通信する。複数のＭＢＡＮシステムのうちのあるＭＢＡＮシステムは、該ＭＢＡＮシステムに割り当てられたＭＢＡＮ優先順位に対応する、チャネルセットからのチャネルを使用する。
【００１４】
別の態様によると、医療ボディエリアネットワーク（ＭＢＡＮ）システムのハブデバイスが提供される、ハブデバイスは、ＭＢＡＮ優先順位を、対応する患者の患者緊急度レベルに基づいて決定し、複数のＭＢＡＮ優先順位の各々についてのチャネルセットを示すＭＢＡＮチャネルアクセスルールを受け取るように構成される、少なくとも１つのプロセッサを含む。チャネルセットのチャネルは、ハブデバイスが使用される医療機関に利用可能なチャネルセットのチャネルである。複数のＭＢＡＮ優先順位は、ＭＢＡＮ優先順位と、医療機関の複数のＭＢＡＮシステムに割り当てられる対応するＭＢＡＮ優先順位とを含む。少なくとも１つのプロセッサは、チャネルセットからＭＢＡＮ優先順位に対応するチャネルを選択し、選択されたチャネルを使用するようＭＢＡＮシステムのＭＢＡＮを構成するように構成される。
【００１５】
１つの利点は、改善された患者モニタリングにある。
【００１６】
別の利点は、異なる緊急度レベルにより差別化されたサービス品質（ＱｏＳ）のサポートをＭＢＡＮに提供することができる、医療ボディエリアネットワーク（ＭＢＡＮ）チャネル管理スキームにある。
【００１７】
別の利点は、ユーザ介入なしに患者の緊急度の変化に応じてＭＢＡＮ優先順位を自動的に調整することにある。
【００１８】
別の利点は、異なるサービスエリアにわたる緊急度レベルの分布の偏差を適合させることにある。
【００１９】
本発明の更なる利点は、以下の詳細な説明を読み、理解することにより、当業者に認識されるであろう。
【図面の簡単な説明】
【００２０】
本発明は、様々なコンポーネント及びコンポーネントの構成で様々なステップ及びステップの構成の形を取ることができる。図面は、単に好適な実施形態を例示するためであり、本発明を限定するものとして解釈されるべきではない。
【図１】医療ボディエリアネットワーク（ＭＢＡＮ）を示す図である。
【図２】強化されたＭＢＡＮチャネル管理スキームを備える１つ以上の医療機関にわたるスペクトルの使用を管理するＭＢＡＮコーディネータを示す図である。
【図３】強化されたＭＢＡＮチャネル管理スキームを備える医療機関を示す図である。
【図４】ＭＢＡＮチャネル管理スキームを示す図である。
【発明を実施するための形態】
【００２１】
本発明は、ＭＢＡＮスペクトルの利用効率を維持しつつ、患者の緊急度レベルに基づいて、優先順位付けされたサービス品質（ＱｏＳ）サポートをＭＢＡＮに提供する、医療ボディエリアネットワーク（ＭＢＡＮ）のチャネル管理スキームを提案する。この点において、ＭＢＡＮチャネル管理スキームは、より高い緊急度の患者のためのＭＢＡＮが、より低い緊急度の患者よりも良好なＭＢＡＮチャネルへのアクセスを有し、したがって改善されたＱｏＳサポートを有するように、ＭＢＡＮチャネルアクセスを調整する。
【００２２】
各ＭＢＡＮは、患者の緊急度レベルに基づいて割り当てられるＭＢＡＮ優先順位を有する。ＭＢＡＮ優先順位は、患者の健康状態を継続的に評価及び／又は予測することができる、（例えば早期警告スコアリング（ＥＷＳ：early  warning  scoring）システムを実装する）臨床決定サポート（ＣＤＳ：clinical  decision  support）エンジンによって動的に更新され得る。ＭＢＡＮチャネルアクセスルールは、各ＭＢＡＮ優先順位について、どのＭＢＡＮチャネルにＭＢＡＮがアクセスすることができるかを規定する。ＭＢＡＮのＭＢＡＮ優先順位が高いほど、ＭＢＡＮはより多くのＭＢＡＮチャネルにアクセスすることができる。ＭＢＡＮチャネルアクセスルールは、各ＭＢＡＮハブデバイスに分配されて、そのチャネル選択の動作をガイドする。そのようなチャネルアクセスルールを、バックホールアクセスポイントのサービスエリアごとに、あるいはサービスゾーン（例えば集中治療室（ＩＣＵ）のような、医療機関５０の共通区画として働くサービスエリアの集合）ごとに特別に適合させることができる。さらに、チャネルアクセスルールを、バックホールアクセスポイントの各サービスゾーン又は各サービスエリア内におけるリアルタイムのＭＢＡＮ優先順位の分布に基づいて動的に最適化することができる。
【００２３】
ＭＢＡＮチャネル管理スキームを、ＭＢＡＮベースの患者モニタリングシステムに使用することができる。さらに、ＭＢＡＮチャネル管理スキームを、ＭＢＡＮスペクトル（すなわち、２３６０メガヘルツ（ＭＨｚ）から２４００ＭＨｚ）、２．４ギガヘルツ（ＧＨｚ）のＩＳＭ（industrial,  scientific  and  medical）スペクトル又はＭＢＡＮベースの患者モニタリングシステムによって使用される任意の他の無線周波数（ＲＦ）スペクトルで使用することができる。
【００２４】
図２を参照すると、システム１０は、医療ボディエリアネットワーク（ＭＢＡＮ）コーディネータ１２を含む。ＭＢＡＮコーディネータ１２は、ＭＢＡＮコーディネータ１２に登録済みの１つ以上の医療機関１４、１６、１８による、管理対象スぺクトルの少なくとも一部、典型的にはＭＢＡＮスペクトルの使用を調整する。典型的に、管理対象スペクトルは、登録済みの医療機関１４、１６、１８による使用について、米国の連邦通信委員会（ＦＣＣ）のような行政機関によって認証される。ＭＢＡＮコーディネータ１２は、典型的には干渉問題を避けるために、認証パーティによって決定される１つ以上の調整ルールに従って管理対象スペクトルの使用を調整する。
【００２５】
ルールの適用を通して、ＭＢＡＮコーディネータ１２は、登録済みの医療機関１４、１６、１８に制御メッセージを提供することによって、管理対象スペクトルを使用するよう登録済みの医療機関１４、１６、１８を選択的に認証する。登録済み医療機関１４、１６、１８に対する制御メッセージは、登録済み医療機関１４、１６、１８が、使用を認証される管理対象スペクトルの周波数に関するデータを含み、オプションとして時間制限（例えばＭＢＡＮ操作についての時間期間、有効な時間及び／又は日、満了する時間及び／又は日）及び／又は登録済み医療機関についての一意の識別子（ＩＤ）を伴う。制御メッセージは、データを転送するのに適した任意の方法で、例えばネットワークを介して自動的に、あるいは電子メールを使用して手動で、又は同様の方法で登録済み医療機関１４、１６、１８に提供され得る。
【００２６】
ＭＢＡＮコーディネータ１２の少なくとも１つのストレージメモリ２０は、調整を容易にするよう、現在の認証に関するデータを維持する。例えばＭＢＡＮコーディネータ１２は、現在の認証を追跡して、他のユーザとの管理対象スペクトルの共有をより良く調整することができる。さらに、一部の実施形態において、ＭＢＡＮコーディネータ１２は、登録済み医療機関１４、１６、１８の各々についての登録レコードを、ストレージメモリ内に維持する。登録レコードの各々は、対応する登録済み医療機関１４、１６、１８の一意のＩＤと、オプションとして登録済み医療機関１４、１６、１８に提供される制御メッセージに関するデータ及び／又は名前やアドレス、電話番号等といった登録に必要とされるデータを適切に含む。
【００２７】
登録済み医療機関１４、１６、１８の各々は、ＭＢＡＮチャネル管理モジュール２２、２４、２６を含む。登録済み医療機関１４、１６、１８のＭＢＡＮチャネル管理モジュール２２、２４、２６は、登録済み医療機関１４、１６、１８による使用について認証された周波数を示すデータを、ＭＢＡＮコーディネータ１２から直接又は間接的に制御メッセージにより受け取る。認証された周波数に基づいて、ＭＢＡＮチャネル管理モジュール２２、２４、２６は、ＭＢＡＮチャネルアクセスルールを、対応する登録済み医療機関１４、１６、１８のＭＢＡＮに分配する。ＭＢＡＮチャネルアクセスルールは、認証された周波数のどのＭＢＡＮチャネルを、各ＭＢＡＮ優先順位に使用することができるかを示し、この場合、ＭＢＡＮ優先順位は患者の緊急度レベルに基づく。ＭＢＡＮは次いで、そのＭＢＡＮの対応する患者の緊急度レベルに関連付けられるＭＢＡＮチャネルを使用する。ＭＢＡＮチャネル管理モジュール２２、２４、２６は典型的に、メモリ上に格納され、かつプロセッサによって実行されるソフトウェアである。
【００２８】
図３を参照すると、医療機関５０は、例えば登録済み医療機関１４、１６、１８の１つであり、１つ以上のＭＢＡＮシステム５２を含む。ＭＢＡＮシステム５２は、患者５４にそれぞれ関連付けられ、患者５４の生理的データをキャプチャするようにそれぞれ配置される。さらに、ＭＢＡＮシステム５２の各々は、１つ以上のセンサデバイス５６、５８と、ＭＢＡＮシステム５２のＭＢＡＮ６２上で通信するハブデバイス６０とを含む。ＭＢＡＮ６２は低電力の短距離無線ネットワークである。ＭＢＡＮ６２は、ＩＥＥＥ８０２．１５．６ＭＢＡＮ又はＩＥＥＥ８０２．１５．４ｊ  ＭＢＡＮといった任意のタイプのものとすることができる。
【００２９】
センサデバイス５６、５８は、心拍、呼吸数、血圧、ＥＣＧ信号等といった患者５４の生理的データをリアルタイムでキャプチャし、そのデータをＭＢＡＮ６２上でハブデバイス６０に転送する。センサデバイス５６、５８は典型的に、患者５４の外部に配置される。例えばセンサデバイス５６、５８は、オンボディ及び／又はウェアラブルセンサデバイスとすることができる。しかしながら、一部の実施形態では、センサデバイス５６、５８は、追加又は代替的に、患者５４内に、かつ／又は患者５４の近くに配置される。
【００３０】
センサデバイス５６、５８は各々、コントローラ６４、６６と、通信ユニット６８、７０と、患者５４の少なくとも１つの生理的パラメータを測定するための少なくとも１つのセンサ７２、７４を含む。コントローラ６４、６６は、センサ７２、７４を使用して生理的データをキャプチャし、キャプチャした生理的データを、通信ユニット６８、７０を使用してハブデバイス６０に伝送する。コントローラ６４、６６は、キャプチャした生理的データを受け取るとすぐに伝送することができる。あるいは、コントローラ６４、６６は、キャプチャした生理的データをセンサデバイス５６、５８のストレージメモリ７６、７８内にバッファするか、他の方法で格納し、その量が閾値を超えるときにのみ、バッファした生理的データを伝送することもできる。通信ユニット６８、７０は、ＭＢＡＮ６２上でハブデバイス６０と通信する。
【００３１】
典型的に、キャプチャした生理的データは、通信ユニット６８、７０を使用してハブデバイス６０に直接伝送される。しかしながら、キャプチャした生理的データを、ハブデバイス６０に間接的に伝送することもできる。例えばセンサデバイス５６、５８は、生理的データを、例えば身体結合通信（body  coupled  communications）を用いる患者担持型ユニット（patient-carried  unit）に伝送することができる。患者担持型ユニットは、次いで、センサデバイス５６、５８の全てからハブデバイス６０に生理的データを送信することができる。
【００３２】
ハブデバイス６０は：１）センサデバイス５６、５８から生理的データを収集することと；２）センサデバイス５６、５８を管理することと（例えばパーソナルエリアネットワーク（ＰＡＮ）コーディネータとして動作する）；３）収集した生理的データをローカルで典型的にはリアルタイムに処理することと；４）収集した生理的データを医療機関５０の患者モニタリングシステム８０に転送することと、のうちの１つ以上を行う。ハブデバイス６０は典型的に、患者５４の近くに配置される。さらに、ハブデバイス６０は典型的に、ローカルのベッドサイドモニタリングユニット、携帯電話、セットトップボックス又は他の無線デバイスのうちの１つである。
【００３３】
ハブデバイス６０のコントローラ８２は、ＭＢＡＮ６２をセットアップし、センサデバイス５６、５８及び他のデバイスをＭＢＡＮ６２に関連付け／関連付け解除等するように、ハブデバイス６０のＭＢＡＮ通信ユニット８４を制御するよう構成され得る。コントローラ８２はまた、キャプチャされた生理的データをセンサデバイス５６、５８からＭＢＡＮ通信ユニット８４を使用して収集するように構成され得る。ＭＢＡＮ通信ユニット８４は、ＭＢＡＮ６２を使用してセンサデバイス５６、５８と通信し、コントローラ８２にＭＢＡＮ６２へのインタフェースを提供する。
【００３４】
コントローラ８２により収集された生理的データを、コントローラ８２により患者モニタリングシステム８０へ転送することができる。コントローラ８２は、収集された生理的データを受け取るとすぐに、患者モニタリングシステム８０に転送することができる。あるいは、コントローラ８２は、収集した生理的データを、ハブデバイス６０のストレージメモリ８６内にバッファするか他の方法で格納し、その量が閾値を超えるときにのみ、バッファした生理的データを転送することもできる。
【００３５】
コントローラ８２は、バックホール通信ユニット９０を使用して、有線のイーサーネット、Wi-Fi、３Ｇ／４Ｇセルラネットワークといったバックホール通信ネットワーク８８を介して、収集した生理的データを患者モニタリングシステム８０に転送することができる。バックホール通信ネットワーク８８は典型的に、ＭＢＡＮ６２と比べて長距離である。バックホール通信ネットワーク８８が無線インタフェースを含むとき、バックホール通信ネットワーク８８は、無線通信用の１つ以上のバックホールアクセスポイント９２を含む。バックホール通信ユニット９０は、バックホール通信ネットワーク８８を使用して患者モニタリングシステム８０と通信し、コントローラ８２にバックホール通信ネットワーク８８へのインタフェースを提供する。
【００３６】
コントローラ８２によって収集される生理的データは、臨床判断サポート（ＣＤＳ）エンジン９４を使用して、コントローラ８２によってローカルで処理することもできる。ＣＤＳエンジン９４は典型的に、コントローラ８２のプロセッサによって実行されるソフトウェアである。ＣＤＳエンジン９４は、収集された生理的データに基づいて、患者中心の個別化されたモニタリングサービスを提供する。ＣＤＳエンジン９４は、バックホール通信ネットワーク８８の１つ以上の患者データリポジトリ９６で取得可能な、他の患者に関連する医療データ（例えば電子医療記録（ＥＭＲ）、研究レポート等）に基づいて、患者中心の個別化されたモニタリングサービスを提供することもできる。ＣＤＳエンジン９４は典型的に、患者データ（すなわち、収集した生理的データ及び／又は他の患者に関連する医療データ）を使用して、患者の状態を評価及び予測し、必要に応じてインテリジェントアラームを生成する。
【００３７】
アラーム状態を検出したことに応答して、ＣＤＳエンジン９４は、例えばハブデバイス６０のユーザ出力デバイス９８（例えばディスプレイデバイス）を使用して、音声及び／又は視覚的警告メッセージのような警告メッセージを生成することができる。あるいはまた、ＣＤＳエンジン９４は、リモートシステム又はデバイスがアラーム及び／又はアラートの臨床評価（clinician）を処理することができるように、ＭＢＡＮ又はバックホール通信ユニット８４、９０を使用して、患者モニタリングシステム８０のようなリモートのシステム又はデバイスにアラームメッセージを伝送することができる。
【００３８】
患者データリポジトリ９６は、医療機関５０の患者５４についての患者医療患者データを、患者データリポジトリ９６の１つ以上のストレージメモリ９８に格納する。そのような患者データには、ＥＭＲ、病歴データ、研究レポート、生理的データ及び他の関連する患者データが含まれ得る。患者データリポジトリ９６は、ストレージメモリ９８内に、ＣＤＳ９４のようなＣＤＳエンジンの医療判断サポートアルゴリズムに役立つ可能性がある他の医療データを格納してもよい。そのような他の医療データには、医学知識、人口統計的及び／又は地理的な医療データ等が含まれ得る。
【００３９】
患者データリポジトリ９６の各々は、通信ユニット１００及びコントローラ１０２を含む。通信ユニット１００は、コントローラ１０２が、バックホール通信ネットワーク８８と通信することを可能にし、コントローラ１０２は、ストレージメモリ９８内のデータを、バックホール通信ネットワーク８８を介して外部デバイス及び／又はシステムに利用可能にする。
【００４０】
患者モニタリングシステム８０は：１）バックホール通信ネットワーク８８を介して、ＭＢＡＮシステム５２のハブデバイス６０によって転送された生理的データを受け取ることと；２）受け取った生理的データを分析することと；３）受け取った生理的データを、患者モニタリングシステム８０のストレージメモリ１０４又は外部システムに格納することと；４）受け取った生理的データに基づいて、モニタリング、診断及び治療サービスの１つ以上をリアルタイムで提供すること、のうちの１つ以上を行う。患者モニタリングシステム８０は、患者データリポジトリ９６へのアクセスを適切に有し、前述のタスクの実行を促進することができる。さらに、患者モニタリングシステム８０は、ＭＢＡＮシステム５２からリモートであり、典型的にはＭＢＡＮシステム５２の中心となる。
【００４１】
患者モニタリングシステム８０のコントローラ１０６は、ＭＢＡＮシステム５２からの生理的データを受け取るように、患者モニタリングシステム８０の通信ユニット１０８を制御するよう構成され得る。通信ユニット１０８は、バックホール通信ネットワーク８８と通信し、コントローラ１０６に、バックホール通信ネットワーク８８へのインタフェースを提供する。受け取った生理的データは、患者モニタリングシステム８０のストレージメモリ１０４内に適切に格納される。
【００４２】
コントローラ１０６によって受け取られる生理的データは、ＣＤＳエンジン１１０を使用して、コントローラ１０６によってローカルで処理することもできる。ＣＤＳエンジン１１０は典型的に、コントローラ１０６のプロセッサによって実行されるソフトウェアである。ＣＤＳエンジン１１０は、収集された生理的データに基づいて、患者中心の個別化されたモニタリングサービスを提供する。ＣＤＳエンジン１１０は、患者データリポジトリで取得可能な他の患者に関連する医療データ（例えばＥＭＲ、研究レポート等）に基づいて、患者中心の個別化されたモニタリングサービスを提供することもできる。ＣＤＳエンジン１１０は典型的に、患者データ（すなわち、収集した生理的データ及び／又は他の患者に関連する医療データ）を使用して、生理的データを受け取った患者の全て又は部分集合について、患者の状態を評価及び予測し、必要に応じてインテリジェントアラームを生成する。
【００４３】
アラーム状態を検出したことに応答して、ＣＤＳエンジン１１０は、例えば患者モニタリングシステム８０のユーザ出力デバイス１１２（例えばディスプレイデバイス）を使用して、音声及び／又は視覚的警告メッセージのような警告メッセージを生成することができる。あるいはまた、ＣＤＳエンジン１１０は、リモートシステム又はデバイスがアラーム及び／又はアラートの臨床評価を処理することができるように、通信ユニット１０８を使用して、リモートのシステム又はデバイスにアラームメッセージを伝送することができる。
【００４４】
簡潔性のために、単一の患者モニタリングシステムのみを説明した。しかしながら、複数の患者モニタリングシステムを用いることも考慮される。そのような例では、患者モニタリングシステムにわたってＭＢＡＮシステム５２を分散させるよう設計される任意のスキームを使用して、医療機関５０のＭＢＡＮシステム５２を、利用可能な患者モニタリングシステムに割り当てることができる。例えば患者モニタリングシステムの各々を、医療機関５０のサービスゾーンに割り当てることができ、ＭＢＡＮシステム５２の各々を、そのＭＢＡＮシステム５２が配置されるサービスゾーンに対応する患者モニタリングシステムに割り当てることができる。
【００４５】
ＭＢＡＮチャネル管理モジュール１１４は、医療機関５０に利用可能な周波数を示すデータを、例えばユーザ入力デバイス１１６又は外部システムから受け取る。例えばＭＢＡＮスペクトル（すなわち、２３６０〜２４００ＭＨｚスペクトル）が用いられる場合、ＭＢＡＮチャネル管理モジュール１１４は、ＭＢＡＮの動作のために認証されるＭＢＡＮスペクトルの周波数を規定するＭＢＡＮコーディネータ１２（図２）から、制御メッセージを受け取ることができる。受け取ったデータに基づいて、ＭＢＡＮチャネル管理モジュール１１４は、各タイプのＭＢＡＮ（例えばＩＥＥＥ８０２．１５．４ｊ又はＩＥＥＥ８０２．１５．６）に利用可能な周波数内で配置されるＭＢＡＮチャネルのセットを識別する。識別したチャネルを使用して、ＭＢＡＮチャネル管理モジュール１１４は、ＭＢＡＮシステム５２によって使用されるスペクトルの利用効率を維持しつつ、患者の緊急度レベルに基づいて、優先順位付けされたＱｏＳサポートをＭＢＡＮシステム５２に提供するように、ＭＢＡＮチャネル管理スキームを実装する。
【００４６】
ＭＢＡＮチャネル管理スキームを実装するために、ＭＢＡＮチャネル管理モジュール１１４は、医療機関５０に対して利用可能なＭＢＡＮチャネルの使用を調整する、ＭＢＡＮチャネルアクセスルールを規定する。バックホール通信ネットワーク８８を通して、ＭＢＡＮチャネル管理モジュール１１４は、規定したチャネルアクセスルールをＭＢＡＮシステム５２のハブデバイス６０に転送し、動作チャネルを選択する際にハブデバイス６０を助ける。ＭＢＡＮチャネルアクセスルールは、ハブデバイス６０へ直接分配されるか、例えばバックホール通信ネットワーク８８のアクセスポイント９２によってハブデバイス６０へ間接的に分配され得る。
【００４７】
ＭＢＡＮチャネルアクセスルールは、複数のＭＢＡＮ優先順位の各々について、ＭＢＡＮによってアクセスされ得るＭＢＡＮチャネルセットを規定する。この点において、医療機関５０のＭＢＡＮ６２の各々を、対応する患者５４の緊急度レベル（すなわち、生命の危機度（life  criticality））に基づいてＭＢＡＮ優先順位のうちの１つに割り当てる。複数のＭＢＡＮ優先順位を、医療機関５０の患者５４の患者緊急度レベルに基づいて規定することができる。患者の緊急度レベルが低いほど、ＭＢＡＮ優先順位も低い。例えば最も高いＭＢＡＮ優先順位を、最も高い緊急度レベルを有するＩＣＵ患者のＭＢＡＮに割り当てることができる。これは、このＭＢＡＮに伝送されるデータが最も重要であるためである。この例を続けると、最も低いＭＢＡＮ優先順位は、健康状態が安定している回復した患者のＭＢＡＮに割り当てることができ、他のＭＢＡＮ優先順位は、患者の緊急度レベルに応じて、最も高いＭＢＡＮ優先順位と最も低いＭＢＡＮ優先順位の間である。
【００４８】
より高いＭＢＡＮ優先順位のチャネルセットは、より低いＭＢＡＮ優先順位よりも多くのチャネルを含む。典型的には、ｊ＞ｉのとき、ＭＢＡＮ優先順位ｉのチャネルセットは、ＭＢＡＮ優先順位ｊのチャネルセットの部分集合である。言い換えると、ＭＢＡＮ優先順位ｊを有するＭＢＡＮは、ＭＢＡＮ優先順位ｉを有するＭＢＡＮがアクセスすることができる全てのチャネルと、ＭＢＡＮ優先順位ｉを有するＭＢＡＮがアクセスする権利を持たない幾つかの他のチャネルとにアクセスすることができる。これは、より高い優先順位のＭＢＡＮに、ＭＢＡＮチャネルアクセスを獲得し、かつより良好なＱｏＳを取得する、より多くのチャンスを提供する。
【００４９】
医療機関５０のＭＢＡＮ６２が開始されると、対応するハブデバイス６０は、対応するユーザ入力デバイス１１８により医療専門家から受け取った優先順位（又は患者の緊急度レベル）に従って、あるいはＭＢＡＮ６２に対してローカル又はＭＢＡＮ６２からリモートのＣＤＳエンジン９４、１１０によって決定される患者ステータス評価及び／又は予測出力に従って、ＭＢＡＮ優先順位を設定することができる。また、その動作の間に、ＭＢＡＮ６２の優先順位を、ＣＤＳエンジン９４、１１０の患者ステータス評価及び／又は予測出力に基づいて自動的に更新することができる。
【００５０】
上記のように、医療機関５０のＭＢＡＮ６２のＭＢＡＮ優先順位は、治療サイクル全体の間に自動的に更新され得る。具体的には、ＣＤＳエンジン９４、１１０をアクティブ化して、リアルタイムモニタリングデータ及び他の患者データ（例えばＥＭＲ、研究レポート等）に基づいて、患者の緊急度レベルを追跡及び／又は予測することができる。ＭＢＡＮ６２のＣＤＳエンジン９４、１１０は、ＭＢＡＮ６２に対してローカルである（例えば対応するハブデバイス６０によって実装される）か、ＭＢＡＮ６２からリモートである（例えば患者モニタリングシステム８０によって実装される）ことが可能である。ＣＤＳエンジン９４、１１０は継続的に、患者の健康状態に基づいて患者の緊急度スコアを生成し、このスコアを、ＭＢＡＮ６２のＭＢＡＮ優先順位レベルにマップする。ＭＢＡＮ６２のＭＢＡＮ優先順位レベルが変化するか、ＭＢＡＮ優先順位レベルのＭＢＡＮチャネルアクセスルールが変化すると、ＭＢＡＮ６２のハブデバイス６０は、その候補のチャネルセット（すなわち、ＭＢＡＮ動作に使用され得るチャネルの内部セット）を更新する。
【００５１】
ＭＢＡＮチャネルアクセスルールを、アクセスポイント９２の各サービスアクセス用にカスタマイズすることができる。サービスエリアは、アクセスポイントによってサービスされるエリアである。ＭＢＡＮチャネル管理モジュール１１４は、サービスエリア内の患者の緊急度レベルの分布についての事前知識に基づいて、各サービスエリアのチャネルアクセスルールを最適化することができる。例えばモニタリングされる患者のほとんどが高い緊急度レベルのＩＣＵエリアをサービスするアクセスポイントのために、高い優先順位のＭＢＡＮには、より多くのＭＢＡＮチャネルを確保することができる。この例を続けると、モニタされる患者の多くが中間又は低レベルの緊急度レベルの一般病棟をサービスするアクセスポイントのために、より高い優先順位のＭＢＡＮには、より少ないＭＢＡＮチャネルが確保され得る。低、中、高緊急度レベルは、緊急度レベルの範囲を３つに分けることにより定義され、この場合、最も低い範囲（すなわち３番目）に入る緊急度レベルは低とみなされ、最も高い範囲（すなわち１番目）に入る緊急度レベルは高とみなされ、中間の範囲（すなわち２番目）に入る緊急度レベルは中とみなされる。より一般的には、前述の例は、最高位のＭＢＡＮ優先順位についてチャネルの数が増加するものとして説明することができ、最高位のＭＢＡＮ優先順位とは、ＭＢＡＮ優先順位分布においてＭＢＡＮ優先順位が最も高いものである。前述の最適化は、高い優先順位のＭＢＡＮへの、起こり得る干渉を避けつつ、ＭＢＡＮチャネルをより効率的に使用することを可能にする。
【００５２】
ＭＢＡＮチャネルアクセスルールを、医療機関５０の各サービスゾーン（すなわちサービスエリアの集合）についてカスタマイズすることもできる。この点において、ＭＢＡＮチャネル管理モジュール１１４は、アクセスポイント９２のサービスエリア内の患者の緊急度レベルの分布に関する事前知識に基づいて医療機関５０を複数のサービスゾーンに分割することができる。各サービスゾーンについて、ＭＢＡＮチャネル管理モジュール１１４は、高い優先順位のＭＢＡＮへの、起こり得る干渉を最小化しつつ、チャネルアクセスルールを最適化して、スペクトル使用効率を高めることができる。サービスエリアに関する直前の例は、サービスエリアについて行われるものと同じ方法でサービスゾーンに当てはまる可能性がある。
【００５３】
ＭＢＡＮチャネルアクセスルールは、緊急度レベルのリアルタイムＭＢＡＮ分布に適合するよう動的に最適化され得る。患者のモビリティに起因して、サービスゾーン又はサービスエリア内のＭＢＡＮ優先順位の分配は、時間と共に変化し得る。医療機関５０のハブデバイス６０は典型的に、アクセスポイント９２によってＭＢＡＮチャネル管理モジュール１１４に接続されるので、ＭＢＡＮチャネル管理モジュール１１４は、それぞれの個々のアクセスポイントのサービングエリア内のＭＢＡＮ優先順位の分配、あるいはその妥当な近似（reasonable  approximation）を取得することができる。したがって、ＭＢＡＮチャネル管理モジュール１１４は、それぞれ個々のアクセスポイント又はサービスゾーンについて、チャネルアクセスルールを、アクセスポイント９２のサービスエリアのＭＢＡＮ優先順位の分配に関するリアルタイムデータに基づいて連続的に最適化することができる。例えば緊急治療室エリア内のＭＢＡＮ優先順位の分配は、時間と共に広範囲で変化する可能性があり、これによりチャネルアクセスルールの連続的な最適化は、ＭＢＡＮスペクトルの利用効率を改善するのに有益であろう。
【００５４】
ＭＢＡＮチャネル管理モジュール１１４は、上述の機能を実行するようソフトウェア及び／又はハードウェアで実装され得る。しかしながら、ＭＢＡＮチャネル管理モジュール１１４は適切に、チャネル管理システム１２０又は患者モニタリングシステム８０のように、バックホール通信ネットワーク８８に接続されるサーバによって実施されるソフトウェアである。図示されるように、チャネル管理システム１２０は、コントローラ１２２及び通信ユニット１２４を含む。コントローラ１２２は、コントローラ１２２のプロセッサを使用して、ＭＢＡＮチャネル管理モジュール１１４を記述するプロセッサ実行可能命令を実行する。通信ユニット１２４は、コントローラ１２２にバックホール通信ネットワーク８８へのインタフェースを提供する。
【００５５】
図４に関して、ブロック図１５０は、ＭＢＡＮチャネル管理モジュール１１４の動作を図示する。開始されると、ＭＢＡＮチャネル管理モジュール１１４は、（例えばＭＢＡＮコーディネータ１２から又は構成ファイルから受け取った制御メッセージに基づいて）利用可能なＭＢＡＮ周波数を決定し１５２、決定されたＭＢＡＮ周波数から、各タイプのＭＢＡＮ（例えばＩＥＥＥ８０２．１５．６又はＩＥＥＥ８０２．１５．４ｊ）についてＭＢＡチャネルのセットを識別し１５４、識別されたＭＢＡＮチャネルのセットから、各サービスゾーン又はアクセスポイント９２の各サービスエリアについて、ＭＢＡＮチャネルアクセスルールを生成し１５６、バックホール通信ネットワーク８８を介して、チャネルアクセスルールを医療機関５０のハブデバイス６０に通信する１５８。
【００５６】
医療機関５０のＭＢＡＮ６２が電源をオンにされると、ＭＢＡＮ６２のハブデバイス６０は、ハブデバイス６０が配置されているサービスエリアのアクセスポイントに接続する。ハブデバイス６０がバックホール通信ネットワーク８８への接続を確立すると、ハブデバイス６０は、典型的にはハブデバイス６０のサービングアクセスポイントによって、ＭＢＡＮチャネル管理モジュール１１４から、ＭＢＡＮチャネルアクセスルールを受け取る。また、ハブデバイス６０は、初期のＭＢＡＮ優先順位設定を、手動の入力から又はローカル若しくはリモートのＣＤＳエンジン９４、１１０の出力から受け取る。受け取ったＭＢＡＮ優先順位及び受け取ったチャネルアクセスルールに基づいて、ハブデバイス６０は、動作することができるＭＢＡＮチャネルのセットを決定し、そのセットからＭＢＡＮ動作を開始するＭＢＡＮチャネルを選択する。ハブデバイス６０は、ＭＢＡＮ優先順位の変更を、ＭＢＡＮチャネル管理モジュール１１４に報告し、したがって、ＭＢＡＮチャネル管理モジュール１１４は、アクセスポイント９２の各々のＭＢＡＮ優先順位の分配を決定することができる。
【００５７】
対応するＭＢＡＮ６２からリモートに、あるいは（例えばハブデバイス６０において）ローカルで実装され得る、ハブデバイス６０のＣＤＳエンジン９４、１１０は、患者のリアルタイムモニタリングデータ（すなわち、対応するＭＢＡＮ６２によって収集されるリアルタイム生理的データ）に基づいて、患者の健康状態（すなわち、患者の緊急度レベル）を継続的に評価及び／又は予測し、ＭＢＡＮ優先順位を更新する。患者の健康状態の変化に起因してＭＢＡＮ優先順位の変更がある場合、ハブデバイス６２は、動作することができるＭＢＡＮチャネルのセットを更新する。また、ハブデバイス６０は、現在動作しているチャネルが、新たなセットに入るかどうかを確認する。現在動作しているチャネルが新たなセットに入らない場合、ハブデバイス６０は、新たなチャネルセットから新たなチャネルを選択し、ＭＢＡＮ６２を、その新たなチャネルへ切り替える。さらにまた、ハブデバイス６０は、そのＭＢＡＮ優先順位の変更を、サービングアクセスポイントを通して、ＭＢＡＮチャネル管理モジュール１１４へ報告する。
【００５８】
ＭＢＡＮ６２は、あるアクセスポイントから別のアクセスポイントへ、あるいはあるサービスゾーンから別のサービスゾーンへローミングするとき、ハンドオーバープロセス中に、新たなアクセスポイント又は新たなサービスゾーンのためのチャネルアクセスルールを受け取る。対応するハブデバイス６０が、新たなアクセスポイント又はサービスゾーンについてのチャネルアクセスルールを受け取ると、ハブデバイス６０は、動作することができるＭＢＡＮチャネルのセットを更新する。また、ハブデバイス６０は、現在動作しているチャネルが、更新されたセット内に入るかどうかを確認する。現在動作しているチャネルが更新されたセット内に入らない場合、ハブデバイス６０は、更新されたチャネルセットから新たなチャネルを選択し、新たなチャネルへと切り替える。さらにまた、ハブデバイス６０は、そのサービングアクセスポイントの変更を、ＭＢＡＮチャネル管理モジュールに報告し、したがって、古いアクセスポイントと新しいアクセスポイントの双方のＭＢＡＮ優先順位の分配を更新することができる。
【００５９】
ＭＢＡＮチャネル管理モジュール１１４は、医療機関５０のハブデバイス６０から、ＭＢＡＮ優先順位における変更と、サービスエリア又はサービスゾーンにおける変更とを示すレポートを受け取る１６０。ハブデバイス６０からのこれらのレポートに基づいて、ＭＢＡＮチャネル管理モジュール１１４は、サービスエリア及び／又はサービスゾーンについての患者の緊急度レベルの分布を決定する１６２。アクセスポイント又はサービスゾーンのＭＢＡＮ優先順位の分配の変更は、ＭＢＡＮチャネル管理モジュール１１４をトリガして、そのアクセスポイント又はサービスゾーンについてのチャネルアクセスルールを動的に更新することができる１６４。更新されたチャネルアクセスルールは、アクセスポイント又はサービスゾーンに関連付けられるハブデバイスの全てに通信される１６６。ハブデバイス６０は、更新されたチャネルアクセスルールを受け取ると、動作することができるＭＢＡＮチャネルのセットを更新する。また、現在動作しているチャネルが、更新されたセット内にあるかどうかを確認する。ない場合には、更新されたチャネルセットから新たなチャネルを選択して、新たなチャネルに切り替える。
【００６０】
図４に示される構成動作（例えば判断するステップ１６２）は、ユニットとすることもできる。ユニットはソフトウェア、ハードウェア又はその２つの組合せである。この点において、ＭＢＡＮチャネル管理モジュール１１４を、複数のユニットから形成することができ、これによりＭＢＡＮ管理モジュール１１４は、ソフトウェア、ハードウェア又はその２つの組合せとすることができることが認識されよう。
【００６１】
本明細書で使用されるとき、メモリは、非一時的コンピュータ読取可能媒体；磁気ディスク又は他の磁気記憶媒体：光ディスク又は他の光記憶媒体；ランダムアクセスメモリ（ＲＡＭ）、読取専用メモリ（ＲＡＯＭ）又は他の電子メモリデバイス又はチップ又は動作可能に相互接続されるチップのセット；インターネット／イントラネット又はローカルエリアネットワークを介して格納済みの命令を取り出すことができるインターネット／イントラネットサーバ等のうちの１つ以上を含む。さらに、本明細書で使用されるとき、プロセッサは、マイクロプロセッサ、マイクロコントローラ、グラフィック処理ユニット（ＧＰＵ）、特定用途向け集積回路（ＡＳＩＣ）、フィールドプログラマブルゲートアレイ（ＦＰＧＡ）等のうちの１つ以上を含み；コントローラは、少なくとも１つのメモリと、該メモリ上のプロセッサ実行可能命令を実行する少なくとも１つのプロセッサを含むか、方法を実装する専用のハードウェアを含み；ユーザ入力デバイスは、マウス、キーボード、タッチスクリーンディスプレイ、１つ以上のボタン、１つ以上のスイッチ、１つ以上のトグル等のうちの１つ以上を含み；ディスプレイデバイスは、ＬＣＤディスプレイ、ＬＥＤディスプレイ、プラズマディスプレイ、プロジェクションディスプレイ、タッチスクリーンディスプレイ等のうちの１つ以上を含む。
【００６２】
本発明は、好適な実施形態との関連で説明されている。上記の詳細な説明を読み、理解すると、他に対する修正及び変更が思い付くことがある。本発明は、そのような修正及び変更が添付の特許請求の範囲又はその均等物の範囲内にある限りにおいて、そのような修正及び変更の全てを含むように解釈されることが意図される。
【図１】
0006402182.tif 000002
【図２】
0006402182.tif 000003
【図３】
0006402182.tif 000004
【図４】
0006402182.tif 000005